(57)【要約】【課題】  製造コストの高騰や運搬及び保管の作業手間を煩雑化することなく、従来とは異なる斬新なデザインで葬儀の荘厳な雰囲気を醸し出すことができる葬儀用祭壇の装飾装置を提供する。【解決手段】  本発明に係る葬儀用祭壇の装飾装置は、エッチング加工が可能な表示ガラス１１と、この表示ガラス１１を起立状態に支持する支持フレーム１２とを有する複数個の表示プレート１０から構成されており、その各表示プレート１０の表示ガラス１１に、葬儀用祭壇１を装飾するための輿の全体のデザイン１８を幅方向に分割した一部のデザイン１９がエッチング加工によって描かれている。【選択図】      図２
2005137685.tif 000002
【特許請求の範囲】
【請求項１】
エッチング加工が可能な表示ガラス（１１）とこの表示ガラス（１１）を起立状態に支持する支持フレーム（１２）とを有する複数個の表示プレート（１０）からなる葬儀用祭壇の装飾装置であって、
前記各表示プレート（１０）の表示ガラス（１１）に、葬儀用祭壇（１）を装飾するための輿の全体のデザイン（１８）を幅方向に分割した一部のデザイン（１９）がエッチング加工によって描かれていることを特徴とする葬儀用祭壇の装飾装置。
【請求項２】
各表示プレート（１０）の支持フレーム（１２）の下部にキャスター輪（１７）が設けられている請求項１に記載の葬儀用祭壇の装飾装置。
【請求項３】
支持フレーム（１２）は、その上方から表示ガラス（１１）が抜き差し自在に取り付け可能な構造になっている請求項１又は２に記載の葬儀用祭壇の装飾装置。
【請求項４】
表示ガラス（１１）の面内方向に照明光を発する光源部材（２０）が支持フレーム（１２）の内部に収納されている請求項１〜３のいずれかに記載の葬儀用祭壇の装飾装置。
【発明の詳細な説明】
【技術分野】
【０００１】
本発明は、葬儀場で使用するのに適した葬儀用祭壇の装飾装置に関する。
【背景技術】
【０００２】
従来、主として仏式葬儀用として使用される輿付きの祭壇は、白木で築造された輿（こし）と呼ばれる装飾台の中央に遺影写真を設けるとともに、その輿の前方に遺体を収納した棺を配置し、輿の前方や左右両側の至る所に供花や照明灯を飾り付けることによって構成されるのが一般的である。
【発明の開示】
【発明が解決しようとする課題】
【０００３】
上記従来の祭壇では、白木で築造された輿を中心としてレイアウトを決定しているが、かかる木製の輿は従来よりデザインが画一的で装飾が似たり寄ったりであるため、どこの葬儀もさほど代わり映えしない印象を参列者に与えてしまうという欠点がある。
そこで、本願出願人は、エッチング加工によって輿のデザインが描かれたガラス板を祭壇の中央部に据えることにより、従来とは異なる斬新なデザインの祭壇を構築できることを思い付いた。ところが、専用の斎場で行う葬儀用祭壇に使用する輿は比較的横に大きく広がった構造になっているため、この輿を一枚物のガラス板に描くとなると非常に大きなガラス板を用意する必要があり、製造コストが高くなるともに葬儀場内での運搬や保管が大変になるという欠点がある。
【０００４】
本発明は、このような従来の問題点に鑑み、製造コストの高騰や運搬及び保管の作業手間を煩雑化することなく、従来とは異なる斬新なデザインで葬儀の荘厳な雰囲気を醸し出すことができる葬儀用祭壇の装飾装置を提供することを目的とする。
【課題を解決するための手段】
【０００５】
上記の目的を達成すべく、本発明は次の技術的手段を講じた。
すなわち、本発明は、エッチング加工が可能な表示ガラスとこの表示ガラスを起立状態に支持する支持フレームとを有する複数個の表示プレートからなる葬儀用祭壇の装飾装置であって、前記各表示プレートの表示ガラスに、葬儀用祭壇を装飾するための輿の全体のデザインを幅方向に分割した一部のデザインがエッチング加工によって描かれていることを特徴とする。
【０００６】
上記の本発明によれば、葬儀用祭壇を装飾するための輿の全体のデザインを幅方向に分割した一部のデザインが各表示プレートの表示ガラスにエッチング加工によって描かれているので、各表示プレートを葬儀場のステージに幅方向に並設することでエッチング加工による輿の全体のデザインを形成することができる。
このように、本発明によれば、表示プレートの表示ガラスにエッチング加工を施して輿のデザインを描出するようにしたので、従来とは異なる斬新なデザインの祭壇を構築することができるとともに、そのような輿のデザインを表現するための表示プレートを幅方向に細分化しているので、一枚物のガラス板に輿をエッチング加工して描く場合に比べて、製造コストを低減できるとともに葬儀場内での運搬や保管に要する作業手間をより少なくすることができる。
【０００７】
本発明において、各表示プレートの支持フレームの下部にキャスター輪を設けるようにすれば、各表示プレートを葬儀場のステージ上で転がせて運ぶことができ、祭壇のセッティング作業が行いやすくなるという利点がある。
また、本発明において、支持フレームとして、その上方から表示ガラスが抜き差し自在に取り付け可能な構造になっているものを採用すれば、一つの支持フレームに対して異なるデザインの輿が描かれた表示ガラスに取り換えることで当該支持フレームを共用できるようになるので、装飾装置の製造コストをより低減することができる。
【発明の効果】
【０００８】
以上の通り、本発明によれば、エッチング加工による輿のデザインを表現するための各表示プレートの表示ガラスを幅方向に細分化するようにしたので、製造コストの高騰や運搬及び保管の作業手間を煩雑化することなく、従来とは異なる斬新なデザインで葬儀の荘厳な雰囲気を醸し出すことができる。
【発明を実施するための最良の形態】
【０００９】
以下、図面に基づいて、本発明の実施の形態を説明する。
図１は、本発明の装飾装置を用いた葬儀用祭壇の一例を示している。
この葬儀用祭壇１は、仏式葬儀用として使用される輿付きの祭壇であって、後述する本発明の装飾装置２と、この装飾装置２の前方に配置された門型枠状の装飾枠３及び棺台４と、この棺台４の左右両側に配置された花壇５及び照明灯６とを備えている。装飾装置２の左右両側には、上端部に円柱状のライトを有する複数本の照明支柱７が配置され、装飾枠３や花壇５には多数の供花８が飾り付けられている。
【００１０】
図２に示すように、上記装飾装置２は複数個の表示プレート１０からなり、本実施形態では、中央に配置される中央プレート１０Ａと、その左右両側に並設される左右一対の側部プレート１０Ｂとの合計三枚で構成されている。この各プレート１０は、エッチング加工が可能な表示ガラス１１と、この表示ガラス１１を起立状態に支持する支持フレーム１２とを備えており、表示ガラス１１は、丸みを帯びた上縁を有するほぼ縦長の長方形状のガラス板により構成されている。なお、中央プレート１０Ａの高さ寸法及び幅寸法は側部プレート１０Ｂのそれよりも大きくなるように寸法設定されている。
【００１１】
図３に示すように、支持フレーム１２は、表示ガラス１１の下縁に対応する金属製の下枠１３と、同ガラス１１の左右両縁に対応する左右一対の金属製の側枠１４と、この各側枠１４の下端に直交状に固定された表裏両側に延びる左右一対の金属製の延設部１５とを備えている。左右一対の各側枠１４は、表示ガラス１１の縁部がスライド自在に嵌合される断面コの字状に形成され、これにより、当該支持フレーム１２は、その上方から表示ガラス１１が抜き差し自在に取り付け可能な構造になっている。
【００１２】
また、延設部１５の両端部と側枠１４の中途部の間には補強用の斜材１６が架設され、その各延設部１５の両端部下面側には、当該表示プレート１０を転動自在に搬送可能とするためのキャスター輪１７が設けられている。
図１及び図２に示すように、上記各表示プレート１０の表示ガラス１１には、葬儀用祭壇１を装飾するための輿の全体のデザイン１８を幅方向に分割した一部のデザイン１９がエッチング加工によって描かれている。従って、各表示プレート１０を葬儀場のステージに幅方向に隣接させて並設することにより、エッチング加工による輿の全体のデザイン１８を形成することができるようになっている。
図２に示すように、表示プレート１０の中央部には、エッチング加工を施していない長方形状の表示スペース２１が設けられており、このスペース２１に各宗派によって異なる本尊の写真や図柄を貼り付けることができる。
【００１３】
このように、本実施形態の装飾装置２によれば、表示ガラス１１にエッチング加工を施すことによって輿のデザインを描出するようにしたので、従来とは異なる斬新なデザインの祭壇を構築することができるとともに、そのような輿のデザインを表現するための表示プレート１０を幅方向に細分化するようにしたので、一枚物のガラス板に輿のデザインをエッチング加工して描く場合に比べて、製造コストを低減できるとともに葬儀場内での運搬や保管に要する作業手間をより少なくすることができる。
【００１４】
また、本実施形態の装飾装置２によれば、各表示プレート１０の支持フレーム１２の下部にキャスター輪１７を設けてあるので、各表示プレート１０を葬儀場のステージ上で転がせて運ぶことができ、祭壇１のセッティング作業が行いやすくなるという利点がある。更に、支持フレーム１２の上方から表示ガラス１１を抜き差し自在に取り付け可能となっているので、一つの支持フレーム１２に対して異なるデザインの輿が描かれた表示ガラス１１に取り換えることで当該支持フレーム１２を共用でき、この点で、装飾装置２の製造コストをより低減することができる。
【００１５】
なお、上記実施形態において、図３及び図４には、表示ガラス１１にエッチング可能によるデザイン１９を施す前の状態の表示プレート１０を示してある。
上記実施形態はすべて例示であって制限的なものではない。本発明の技術的範囲は特許請求の範囲によって規定され、そこに記載された構成と均等の範囲内のすべての変更も本発明の技術的範囲に含まれる。
【００１６】
例えば、図４に示すように、支持フレーム１２の下枠１３（側枠１４でもよい。）にＬＥＤ等よりなる光源部材２０を収納し、この光源部材２０によって表示ガラスの面内方向に照明光を発するようにしてもよい。この場合、光源部材２０から発せられた照明光が表示ガラス１１のエッチング部分に当たって散乱するようになるので、エッチング加工による輿のデザイン１９をより鮮明に浮き立たせることができる。
【００１７】
また、上記実施形態では、表示ガラス１１に輿（こし）のデザインを施しているが、これ以外にも、横長の仏式建造物や羽を横に広げた鳳凰の図柄等であってもよく、葬儀に縁の深い荘厳なデザインであれば特に輿に限定されるものではない。
【図面の簡単な説明】
【００１８】
【図１】本発明の装飾装置を用いた葬儀用祭壇の一例を示す正面図である。
【図２】本発明の装飾装置の斜視図である。
【図３】（ａ）は表示プレートの正面図であり、（ｂ）は表示プレートの側面図である。
【図４】本発明の他の実施形態に係る表示プレートの正面図である。
【符号の説明】
【００１９】
１      葬儀用祭壇
２      装飾装置
１０      表示プレート
１１      表示ガラス
１２      支持フレーム
１７      キャスター輪
１８      全体のデザイン
１９      一部のデザイン
２０      光源部材
【図１】
2005137685.tif 000003
【図２】
2005137685.tif 000004
【図３】
2005137685.tif 000005
【図４】
2005137685.tif 000006